(57)【要約】【課題】着装と取り外しが簡単にできて、使用中にずれない、首と、首の付け根の肩の一部、そして胸元上部の中央部分までを寒さから守れる、就寝時布団の中、室内にいる時、屋外に出たときにも使用のできるおしゃれなネックウォーマーを提供する。【解決手段】裁断された一枚の生地を、長手方向両端の中心を直線に結ぶように折る、そのとき全体の裁断面を合うように重ねて折る、直線に折った部分を首上部として、首下部は後部から両側面の湾曲部まで直線で、両側面の湾曲部から両端の角までを直線に結び、片端にはとんがり部を設け、反対側の端にはカット部を設け、とんがり部側は打ち合わせ外側部となりその中央部には面ファスナーを設け、裏側のカット部側は打ち合わせ内側部となりその中央部には面ファスナーを設ける、その面ファスナーは縦巾と横巾を３ＣＭ〜７ＣＭの大きさに設けたことを特徴とするネックウォーマー。【選択図】図８
2007113162.tif 000002
【特許請求の範囲】
【請求項１】
天然繊維、化学繊維から成る生地を裁断した一枚の生地から成るネックウォーマーであり、長手方向両端の中心を直線で結ぶように折り曲げてできた真っ直ぐな部分を首上部とする、折り曲げるとき裁断面全体を合わせ重ねる、長手方向の長さは同じで半分の形となり、二箇所あったとんがり部とカット部は一箇所ずつになり、四箇所あった湾曲部は二箇所となり首下部を形成する、とんがり部側に打ち合わせ外側部を設け中央部には面ファスナーを設け、その裏面のカット部側に、打ち合わせ内側部を設け、中央部には面ファスナーを設ける、寒さから首、胸元、肩の一部を守り、ファッション性を高めたデザインにしたことで、就寝時、室内にいるとき、屋外に出たときなどに使用出来る事を特徴とするネックウォーマー。
【請求項２】
請求項１の面ファスナーは、首の太さに合わせ選べるように調節の出来るサイズの大きさにする、その縦巾と横巾は３ＣＭ〜７ＣＭとする。
【発明の詳細な説明】
【技術分野】
【０００１】  本発明は、一枚の生地を折り重ねて作るネックウォーマーであり、首全体と、首の付け根の肩の一部と、胸の上部中央を寒気から守る形になっていて、面ファスナーを設け簡単に着脱ができて、就寝時、部屋の中、屋外にと幅広く使用できるネックウォーマーに関するものである。
【技術背景】
【０００２】  従来には、首全体だけを巻ける太さの筒形状にしたもので、筒形状が伸びちじみのする布や毛糸などで作ったもので、筒を伸ばし広げて頭をくぐらせ首にもってきて使用するネックウォーマーや、背面部でチャック、又は、面ファスナーを取り付けて接続部として着脱するものや、正面部でチャックを取り付けて接続部として着脱するものや、正面部で細めの面ファスナーを縦に取り付けたものなど、それぞれ首に取り付ける筒形状で全体が同じ丈巾のネックウォーマーがあった、又、正面下部の部分だけを下に膨らませ胸の一部を少しカバーするものは接続部が首後部になっているものがある、そのほか背面と正面の下部を膨らまて、上部を直線ではなく緩やかに凹んで湾曲になったネックウォーマーなどがあった。
【発明の開示】
【発明が解決しようとする課題】
【０００３】  そのために、次のような問題点があった。
（イ）筒形状を伸ばし広げて頭部を通して首の部分に取り付ける方法の場合、髪の毛に触れてしまい、髪が乱れ易い。
（ロ）打ち合わせ部が背面部中央でチャックや面ファスナーを設け着脱式にしたものは、両手を首の後ろに回し、両手指先での取り付け取り外しが大変である。
（ハ）上記（ロ）の場合、就寝時に仰向けで使用したときには、チャックや面ファスナーの硬さや厚みを首の後ろに感じてしまう。
（ニ）打ち合わせ部を正面中央部にチャック、又は、面ファスナーを設け着脱式にしたものがあるが、首後部から首側面部そして首前部と全体に同じ丈巾のものばかりであり、面ファスナーのものは細い巾の面ファスナーのため、チャック同様に首の太さに合わせる調節ができない。
（ホ）正面の下部だけを胸のほうに下げたものは、着脱式の打ち合わせ部がチャック、又は、面ファスナーで首後部に設けてあり、取り付け取り外しが大変で、硬さや厚みを背中に感じてしまう。
（ヘ）首下部部分と首上部部分の全体に凹凸を設けたものは、打ち合わせ部が首前部に設けてあるが、丈巾は全体にほぼ同じである。
本発明は、これらの問題点を解決するためになされたものである。
【問題を解決するための手段】
【０００４】  天然繊維、科学繊維の肌触りの良く保温性のたかい生地を裁断した一枚を、長手方向両端中心部を結び直線に折り，裁断面全体を合わせ重ねる、直線に折った部分を首上部（１）として設けたことになる、首下部（２）は首後部から首両側面近くまでの丈巾を同じに設け、首両側面に湾曲部（１２）を設け、両端の片端にとんがり部（４）を設け湾曲部（１２）と直線で結ぶ、反対側の片端にはカット部（６）を設け湾曲部（１２）と直線で結ぶ、カット部（６）側中央部には打ち合わせ内側部（５）を設け、その中央部には縦巾と横巾が３ＣＭ〜７ＣＭある打ち合わせ内側部の面ファスナー（７）を設け、とんがり部（４）側中央部には打ち合わせ外側部（３）を設け、その裏面の打ち合わせ外側部の中央部には縦巾と横巾が３ＣＭ〜７ＣＭある打ち合わせ外側部の面ファスナー（８）を設ける、大きめの面ファスナーにより太さの調節ができるものとする、使用したとき上になるとんがり部（４）は胸の上部中央をカバーする、下になるカット部（６）ははみ出なく見えないのですっきりとした正面の形となる、以上を特徴とするネックウォーマーである。
【発明の効果】
【０００５】  裁断した一枚の生地を折り重ねることで縫い目のない直線の首上部（１）ができ、首に取り付けたとき縫い目がないのでソフト感がえられる、首下部（２）は、二箇所の湾曲部（１２）が、首後部と、とんがり部（４）と、カット部（６）を結び、首に取り付けたときにフィット感を得られ、就寝時に寝返りなどの動きをしてもずれないのである、縦横に巾のある面ファスナーを設けたことで、首の太さに合った止める位置を調節できる、すこし深く合わせ止めるので下になる打ち合わせ内側部（５）の下部にカット部（６）を設け、上に重なったとんがり部（４）の反対側下部にとび出さないようになっていて、デザインにも優れた形となっている、就寝時、室内、屋外と巾広く着用できるネックウォーマー。
【発明を実施するための最良の形態】
【０００６】  以下、本発明の実施の形態について説明する。
（イ）天然繊維、科学繊維からなる生地で、肌触りの良い、保温性の高い生地を裁断した一枚を、長手方向両端中心部を結び直線に折り裁断面を合わせ重ねる、折ったことでできた直線部を首上部（１）とする、裁断面を合わせ重ねることで二箇所ずつあった首下部（２）、とんがり部（４）、カット部（６）が一箇所になり、四箇所あった湾曲部（１２）は二箇所となる。
（ロ）折り重なった裁断面の返し口（９）を残し、残りの重なった裁断面を前部縫う、返し口（９）で返し、縫い目（１１）のかくれた表となり、その後返し口を縫いネックウォーマーの本体となる。
（ハ）上記、本体の打ち合わせ内側部（５）の中央部と、裏面の打ち合わせ外側部（３）の中央部に縦巾と横巾が３ＣＭ〜７ＣＭある面ファスナーを設け、首の太さに合わせた調整のできるものとする。
（ニ）首下部（２）は、首後部から左右の首側面あたりまで直線で首両側面に湾曲部（１２）を設けてつなぐ、湾曲部（１２）は両端にあるとんがり部（４）とカット部（６）の角まで直線でつながり、下部へとさがってゆく形とする。
（ホ）使用時には、面ファスナーで接着して張り止まったときの、カット部（６）と、とんがり部（４）が上下左右にずれるのを阻止する役目と、胸元の上部中央を防寒し、すっきりと飾る役目をもつ。
（ヘ）この書類上では、洋装上の女性の襟合わせの状態で全部を説明してあり、上合わせ襟が右から左襟へと乗り重なる、男性の襟合わせは逆にすれば良いのであり、面ファスナーの取り付け位置を逆にすればよい、又、男性用で作る場合には長手方向を長くして作る。
本発明は以上のような構成で、これを使用するときは、ネックウォーマーの長手方向中心部を首の後ろに持ってゆく、そのあと打ち合わせ内側部（５）を先に首に巻く、そのあと打ち合わせ外側部（３）を重ね合わせながら面ファスナーで止めて着装する、大きめの面ファスナーにより首の太さに合わせて調整ができるネックウォーマー。
【図面の簡単な説明】
【０００７】
【図１】本発明の生地を折り重ねる前の正面図
【図２】本発明の生地を重ね合わせて返し口となる打ち合わせ内側部を縫い残し裁断面をぬいとめたときの正面図
【図３】本発明の図２のＡ−Ａの拡大断面図
【図４】本発明を返し口で返したあと返し口を縫い止めて面ファスナーを打ち合わせ外側部の中央部に設けた正面図
【図５】本発明を返し口で返したあと返し口を縫い止めて面ファスナーを打ち合わせ内側部の中央部に設けた正面図
【図６】本発明の図５のＢ−Ｂの拡大断面図
【図７】本発明の打ち合わせ部分を示す斜視図
【図８】本発明を着装したときの正面図
【符号の説明】
【０００８】１    首上部
２    首下部
３    打ち合わせ外側部
４    とんがり部
５    打ち合わせ内側部
６    カット部
７    打ち合わせ内側部の面ファスナー
８    打ち合わせ外側部の面ファスナー
９    返し口
１０  返し口縫い目
１１  縫い目
１２  湾曲部
【図１】
2007113162.tif 000003
【図２】
2007113162.tif 000004
【図３】
2007113162.tif 000005
【図４】
2007113162.tif 000006
【図５】
2007113162.tif 000007
【図６】
2007113162.tif 000008
【図７】
2007113162.tif 000009
【図８】
2007113162.tif 000010